(57)【要約】      （修正有）【課題】点滴液容器が傾斜しても確実に液量がなくなることを報知することのできる点滴装置の点滴液の液切れ報知装置を提供する。【解決手段】点滴スタンドのフック部より吊り下げられる構造のケース本体１１と、このケース本体内に設けられ該ケース本体より吊り下げられる点滴液容器の重量変化により変位する変位手段と、この変位手段の変位を検知するフォトセンサー２６ａ、２６ｂと、このフォトセンサーにより動作させられる報知手段２７とから成り、前記変位手段は、前記ケース本体内に弾設されたスプリング２１と、このスプリングにより一方向へ摺動附勢されて前記点滴液容器を吊り下げるフック部材２３と、このフック部材の揺動防止手段Ａとで構成する。【選択図】図４
2004344413.tif 000002
【特許請求の範囲】
【請求項１】
点滴スタンドのフック部より吊り下げられる構造のケース本体と、このケース本体内に設けられ該ケース本体より吊り下げられる点滴液容器の重量変化により変位する変位手段と、この変位手段の変位を検知するフォトセンサーと、このフォトセンサーにより動作させられる報知手段とから成り、前記変位手段は、前記ケース本体内に弾設されたスプリングと、このスプリングにより一方向へ摺動附勢されて前記点滴液容器を吊り下げるフック部材と、このフック部材の揺動防止手段とで構成したことを特徴とする、点滴装置における点滴液の液切れ報知装置。
【請求項２】
前記変位手段において、前記スプリングは、前記ケース本体内に取り付けられた筒体内に設置されたコンプレッションスプリングであり、前記フック部材の前記筒体内部側の先端にはコンプレッションスプリングを作用させたプランジャーを有し、前記揺動防止手段は、前記フック部材に取り付けた取付部材をガイドするために前記筒体に設けられたガイド部材と、前記取付部材に設けられ前記筒体の外側に当接する一対の当接部材とで構成したことを特徴とする、請求項１に記載の点滴装置における点滴液の液切れ報知装置。
【請求項３】
前記一対の当接部材の双方又は一方には、上下方向へ移動調節可能に光反射プレートを備え、この光反射プレートの変位量に応じて動作するフォトセンサーを前記各光反射プレートに対向させて設けたことを特徴とする、請求項２に記載の点滴装置における点滴液の液切れ報知装置。
【発明の詳細な説明】
【０００１】
【発明の属する技術分野】
この発明は、病院や各種施設、或は自宅等において使用される点滴装置に用いて好適な点滴液の液切れ報知装置に関する。
【０００２】
【従来の技術】
従来、点滴装置は、寝ている患者の横側に点滴スタンドを立ててフック部より点滴液が入っているボトル或はソフトバッグ等の点滴液容器を吊り下げ、この点滴液容器より液供給パイプを介して点滴部と調節器を接続し、さらに供給パイプを介して先端に取り付けた注射針を患者の腕の血管に挿入存置させて液注を行うものが多用されている。
【０００３】
このような従来公知の点滴装置は、注入液の残量を患者自身が監視していて、液がなくなると看護者や介護者に通報するものであったが、患者の負担が大きく、うっかり患者が寝入ってしまうと、点滴が終了したことを通報できず血管内に空気が入ってしまったり、その他の医療上のミスが発生する恐れが強かった。
【０００４】
そこで、点滴液がなくなることを予め通報する液切れ報知装置が開発されることとなり、このような装置としては、以下に示す特許文献のものが公知である。
【０００５】
【特許文献】実開平６−８３０３５号公開実用新案公報
【０００６】
この特許文献に記載されたものは、点灯ランプや電源を取り付け点滴スタンドのフック部より吊り下げたケース本体内にトーションスプリングを介して点滴液容器を吊り下げるフック部材を取り付け、このフック部材にケース本体に取り付けた固定電極に対しその上下位置によって接触する可動電極を取り付けたものであり、点滴液容器内に点滴液の残量が少なくなるにつれて、トーションスプリングの引張力が勝り始め、フック部材が上の方へ移動していって、液量がなくなる直前の位置で可動電極が固定電極に接触して点灯ランプが点灯するものであった。
【０００７】
【発明が解決しようとする課題】
この上記した特許文献に示されたものは、装置構成は簡単であったが、トーションスプリングの下端部にフック部材を取り付け、このフック部材に可動電極を取り付けるものであったため、何らかの理由で点滴液容器が傾斜したままの場合には、可動電極が共に傾き、可動電極と接触しない場合があったり、誤動作をしてしまうという問題があった。
【０００８】
この発明の目的は、点滴液容器が傾斜しても確実に液量がなくなることを報知することのできる点滴装置の点滴液の液切れ報知装置を提供せんとするにある。
【０００９】
【課題を解決するための手段】
上述した目的を達成するためにこの発明は、点滴スタンドのフック部より吊り下げられる構造のケース本体と、このケース本体内に設けられ該ケース本体より吊り下げられる点滴液容器の重量変化により変位する変位手段と、この変位手段の変位を検知するフォトセンサーと、このフォトセンサーにより動作させられる報知手段とから成り、前記変位手段は、前記ケース本体内に弾設されたスプリングと、このスプリングにより一方向へ摺動附勢されて前記点滴液容器を吊り下げるフック部材と、このフック部材の揺動防止手段とで構成したことを特徴とする。
【００１０】
その際にこの発明は、前記変位手段において、前記スプリングは、前記ケース本体内に取り付けられた筒体内に設置されたコンプレッションスプリングであり、前記フック部材の前記筒体内部側の先端には前記コンプレッションスプリングを作用させたプランジャーを有し、前記揺動防止手段は、前記フック部材に取り付けた取付部材をガイドするために前記筒体に設けられたガイド部材と、前記取付部材に設けられ前記筒体の外側に当接する当接部材とで構成したことを特徴とする。
【００１１】
さらにこの発明は、前記一対の当接部材の双方或は一方には、上下方向へ移動調節可能に光反射プレートを備え、この光反射プレートの変位量に応じて動作するフォトセンサーを前記各光反射プレートに対向させて設けることができる。
【００１２】
【発明の実施の形態】
以下にこの発明の一実施の形態を図面に基づいて詳細に説明する。図１において、指示記号１は点滴スタンド、２はそのフック部、３は点滴液容器、４は点滴液の量及び点滴速度を調節する調節器、５は点滴部、６は供給パイプ、７はこの供給パイプの先端に取り付けた注射針である。
【００１３】
この発明に係る点滴液の液切れ報知装置１０は、点滴スタンド１のフック部２に点滴液容器３を吊り下げつつ吊り下げられており、その構成は図２乃至図６に示されている。図面によれば、指示記号１１で示したものは底蓋１２付きのケース本体であり、ケース本体１１の上面には、フック１３と例えばアルカリボタン電池から成る電源１４を収納させる電池収納部１５が設けられ、この電池収納部１５には取付ネジ１７，１７を介して着脱可能にカバー１６が取り付けられている。さらに、ケース本体１１の上面には、例えば光源をＬＥＤとする点灯ランプ１８ａ，１８ｂが取り付けられている。尚、電池収納部１５や点灯ランプ１８ａ，１８ｂの取付位置は、ケース本体１１の上面には限定されず、ケース本体１１の他の個所或は底蓋１２であっても良い。さらに電源１４はアルカリボタン電池以外のリチウム電池、或は蓄電池等さまざまなものを電源として用いることができる。また、点灯ランプ１８ａ，１８ｂの種類もＬＥＤに限定されず、白熱ランプ、ネオンランプ等のその他の公知の光源を用いることができる。
【００１４】
とくに図４に示されたように、ケース本体１１の上面内側には、角状の筒体２０が取り付けられ、この角状の筒体２０内部にはコンプレッションスプリング２１によって上方へ摺動附勢されつつプランジャー２２が上下方向へ摺動可能に収納されている。このプランジャー２２の中心部にはフック部材２３の先端が取り付けられ、このフック部材２３はコンプレッションスプリング２１内を通り、筒体２０と底蓋１２に設けた各挿通孔２０ａと１２ａを貫通してケース本体１１外へ導出され、そのフック部２３ａに点滴液容器３が吊り下げられている。
【００１５】
フック部材２３には、さらに、図６に示したように、筒体２０の下部より垂下させた一対のガイド部材２０ｂ，２０ｂに挟まれた取付部材２４を介して一対の当接部材２５ａ，２５ｂが角状の筒体２０の両側面に当接することによって回転を拘束されて取り付けられている。そして、上述したプランジャー２２とガイド部材２０ｂ，２０ｂと、取付部材２４と当接部材２５ａ，２５ｂとで、フック部材２３の揺動防止手段Ａを構成している。そして，この揺動防止手段Ａと，コンプレッションスプリング２１と、フック部材２３とで変位手段Ｂを構成している。当接部材２５ａ，２５ｂを筒体２０に対して回転を拘束させる手段は、筒体２０の外周軸方向へガイド溝を設け、このガイド溝に当接部材２５ａ，２５ｂを嵌入させることによって構成しても良い。
【００１６】
当接部材２５ａ，２５ｂには、外方向の水平方向へ取付片２５ｃ，２５ｄが設けれ、この取付片２５ｃ，２５ｄに設けた取付孔２５ｅ，２５ｆに取り付けた調節ネジ３０ａ，３０ｂに捻子着されて、上下方向へ移動調節可能に光反射プレート３１ａ，３１ｂが取り付けられている。この光反射プレート３１ａ，３１ｂは、その端部を当接部材２５ａ，２５ｂの側部へ当接させることにより、調節ネジ３０ａ，３０ｂを回しても、自己は回転することなく、上下方向へ移動するものである。そして、光反射プレート３１ａ，３１ｂと取付片２５ｃ，２５ｄとの間には、調節ネジ３０ａ，３０ｂに還巻きさせてコンプレッションスプリング３２ａ，３２ｂが弾設されている。底蓋１２上には、光反射型のフォトセンサー２６ａ，２６ｂが取付プレート３３ａ，３３ｂに取り付けられ、光反射プレート３１ａ，３１ｂと対向させられている。
【００１７】
尚、このフォトセンサー２６ａ，２６ｂは光遮断型であっても良いし、その取付位置は図示のものに限定されない。その取付位置は光反射プレート３１ａ，３１ｂが長短一対のものであると、その取付位置は同じであっても良いが、光反射プレートが同一長さの場合には、図示したように、その取付位置を上下方向へ若干ずらせることになる。光反射プレートは、フォトセンサー２６ａ，２６ｂに光遮断型のものを用いた場合には、光遮断板になる。
【００１８】
さらに、点滴液容器３の重量に応じてコンプレッションスプリング２１の弾力を調節する手段を別に設けても良い。
【００１９】
底蓋１２の方には、メロディ発生装置２７、ブザー２８、及び制御回路基板２９が取り付けられているが、その取付位置及び個所は図示のものに限定されない。そして、点灯ランプ１８ａ，１８ｂとメロディー発生装置２７及びブザー２８で報知手段を構成している。尚、メロディ発生装置２８は、ブザー音を発生させたり、音声を発生させたりしても良く、発生させる音に限定はない。また、呼鈴であっても良い。さらに、メロディ発生装置２７にブザー音を発生させるようにしても良い。
【００２０】
次に、この発明に係る点滴液の液切れ報知装置１０の動作について説明する。図１に示したように、この液切れ報知装置１０のフック１３を点滴スタンド１のフック部２に係止し、フック部材２３のフック部２３ａに点滴液容器３を吊り下げて点滴を開始すると、最初は点滴液容器３内には点滴液がいっぱいに充填されているので、その重量により図７に示したように、光反射プレート３１ａ，３１ｂは取付部材２４と共にコンプレッションスプリング２１の弾力に抗して下方に移動していることから、各フォトセンサー２６ａ，２６ｂはＯＮされていない。
【００２１】
しかるに、点滴が進むにつれて点滴液容器３内の点滴液が減少して来るので、点滴液容器３が徐々に軽くなって来ることにより、コンプレッションスプリング２１の弾力により、光反射プレート３１ａ，３１ｂは取付部材２４やフック部材２３と共に上昇して行く。そして、点滴液の残量が少なくなって来たところで、図示の実施の形態のものでは、一方の光反射プレート３１ａがフォトセンサー２６ａと対向する位置に来ることから、この光反射プレート３１ａから反射されてくる光をフォトセンサー２６ａがとらえてＯＮされることにより、点灯ランプ１８ａが点灯し、同時にメロディ発生装置２７が第１段階の警報を発することになる。
【００２２】
この第１段階で、患者及び看護者或は介護者は点滴液が少なくなってきたことを知ることができる。この点灯及びメロディ音は，光反射プレート３１ａの移動か、或は図示してないタイマーによって、所定時間経過後ＯＦＦされる。そして、点滴液がなくなると、さらに光反射プレート３１ａ，３１ｂは上昇し、今度はもう一方の光反射プレート３１ｂがもう一方のフォトセンサー２６ｂと対向する位置に来て、この光反射プレート３１ｂからの反射光によりＯＮされ、再び点灯ランプ１８ｂが点灯し、同時にブザー２８が警報を発することになるので、この第２段階の警報で患者及び看護者並びに介護者は、点滴液が終ったことを知り、注射針７を患者から外したり、必要な処置を行うことができるものである。
【００２３】
尚、以上の説明は、点灯ランプ１８ａ，１８ｂの点灯とメロディ発生装置２７のメロディ音の発声及びブザー２８のブザー音の発生を２段階に分けて２回行うように説明したが、最初の点滴液の残量が少なくなって来たことを知らせる第１段階の時のものと、点滴液が終了したことを知らせる第２段階の時のものとでは、第１段階のものを点灯ランプの点灯のみとし、第２段階でブザーのブザー音を発生させるように構成しても良い。さらに点灯ランプは、１灯だけでも良いが、図示のものでは２灯としたので、第１段階の時のものと、第２段階の時のものとで異なる色の光を発光させるようにしても良い。
【００２４】
さらに、警報を第１段階と第２段階に分けることなく、点液液がなくなった時、１回のみ報知させるように構成しても良い。この場合には、光反射プレートやフォトセンサーは各１個ずつで良い。
【００２５】
さらに、点灯ランプの点灯やブザーのブザー音の発生時に、同時に図示してない発信器より信号を発信させて、この信号により、ナースステーションや患者の居る場所から離れた場所に設けた受信器を動作させて、当該場所の点灯ランプを点灯させたり、ブザー音を発生させたりするように構成することができる。
【００２６】
【発明の効果】
この発明は以上のように構成したので、次のような効果を奏し得る。
【００２７】
請求項１のように構成すると、簡単な構成で、点滴液容器が何らかの原因で傾いても、変位手段が確実に動作するので、報知装置が誤動作をしたり動作しなかったりすることを可及的に防止することができるという効果を奏し得る。
【００２８】
請求項２のように構成すると、請求項１と同じ効果を奏した上で、より正確にフック部材の軸方向の変位を現出でき、しかも、フック部材の揺動を確実に防止することができるという効果を奏し得る。
【００２９】
請求項３のように構成すると、請求項２と同じ効果を奏した上で、点液液容器内の点滴液の残りが少なくなったことと、終ったことを２段階に渡って報知することができることにより、より一層安全性が増すという効果を奏し得る。
【図面の簡単な説明】
【図１】この発明に係る点滴液の液切れ報知装置を実施した点滴装置の全体構成図である。
【図２】この発明に係る点滴液の液切れ報知装置の正面図である。
【図３】この発明に係る点滴液の液切れ報知装置の平面図である。
【図４】この発明に係る点滴液の液切れ報知装置の縦断面図である。
【図５】図２に示した点滴液の液切れ報知装置の光センサーの部分の説明図である。
【図６】図２に示した点滴液の液切れ報知装置のフック部材の揺動防止手段の説明図である。
【図７】図２に示した点滴液の液切れ報知装置の動作を説明する説明図である。
【符号の説明】
Ａ  揺動防止手段
１  点滴スタンド
２  フック部
３  点滴液容器
１０  液切れ報知装置
１１  ケース本体
１２  底蓋
１３  フック
１８ａ，１８ｂ  点灯ランプ（報知手段）
２０ｂ  ガイド部材
２１  コンプレッションスプリング
２３  フック部材
２４  取付部材
２５ａ，２５ｂ  当接部材
２６ａ，２６ｂ  フォトセンサー
２７  メロディ発生装置（報知手段）
２８  ブザー（報知手段）
３１ａ，３１ｂ  光反射プレート
【図１】
2004344413.tif 000003
【図２】
2004344413.tif 000004
【図３】
2004344413.tif 000005
【図４】
2004344413.tif 000006
【図５】
2004344413.tif 000007
【図６】
2004344413.tif 000008
【図７】
2004344413.tif 000009